(57)【特許請求の範囲】
【請求項１】
建物の屋根部材に配された接続線を建物内に引き込むための配線引き込み構造であって、
前記屋根部材に設けられた屋根穴部と、
軒側に開口を有し、前記開口から前記屋根穴部まで引き渡される前記接続線を覆うカバー部材と、
略Ｕ字状断面を有しており、前記屋根部材または前記カバー部材に取り付けられるベース部と、前記ベース部の端部より立ち上がる立壁部と、前記立壁部の端部より前記ベース部側へ折り返され、かつ、前記カバー部材または前記屋根部材に対面する対面壁とを有する第１の水返し部材と、
前記対面壁と前記カバー部材との間、または、前記対面壁と前記屋根部材との間に位置する第１の線挿通部に配置される第１の乾式シール部材とを備える、配線引き込み構造。
【請求項２】
前記第１の水返し部材は、前記屋根部材上に配置され、
前記第１の乾式シール部材は、前記第１の水返し部材の対面壁と前記カバー部材との間に配置される、請求項１に記載の配線引き込み構造。
【請求項３】
前記第１の水返し部材は、前記カバー部材の裏面に固定され、
前記第１の乾式シール部材は、前記第１の水返し部材の対面壁と前記屋根部材との間に配置される、請求項１に記載の配線引き込み構造。
【請求項４】
前記第１の乾式シール部材は、前記第１の水返し部材の対面壁に取り付けられ、
前記接続線は、前記第１の乾式シール部材と前記カバー部材または前記屋根部材とによって上下方向に挟み込まれる、請求項１に記載の配線引き込み構造。
【請求項５】
前記第１の乾式シール部材は、前記カバー部材または前記屋根部材に取り付けられ、
前記接続線は、前記第１の水返し部材の対面壁と前記第１の乾式シール部材とによって上下方向に挟み込まれる、請求項１に記載の配線引き込み構造。
【請求項６】
前記第１の乾式シール部材は、前記カバー部材または前記屋根部材、および、前記第１の水返し部材の対面壁に、それぞれ取り付けられた一対のシール材を含み、
前記接続線は、前記一対のシール材によって上下方向に挟み込まれる、請求項１に記載の配線引き込み構造。
【請求項７】
前記第１の水返し部材の対面壁は、上下方向に弾性を有している、請求項１に記載の配線引き込み構造。
【請求項８】
前記屋根部材は、前記屋根穴部の位置に開口部を有する板状部材を含み、
前記第１の水返し部材は、前記板状部材に固定されている、請求項２に記載の配線引き込み構造。
【請求項９】
前記カバー部材の下方の配線通路には、前記第１の水返し部材よりも前記屋根穴部寄りの位置に設けられた第２の水返し部材をさらに備える、請求項１に記載の配線引き込み構造。
【請求項１０】
前記第２の水返し部材は、上下方向において、前記第１の水返し部材とは逆の位置に配置されている、請求項９に記載の配線引き込み構造。
【請求項１１】
前記第２の水返し部材は、前記屋根部材または前記カバー部材に対面する対面壁を有し、
前記対面壁と前記屋根部材との間、または、前記対面壁と前記カバー部材との間に位置する第２の線挿通部に配置される第２の乾式シール部材をさらに備える、請求項９または１０に記載の配線引き込み構造。
【請求項１２】
建物の屋根部材に配された接続線を建物内に引き込むための配線引き込み構造であって、
前記屋根部材に設けられた屋根穴部と、
軒側に開口を有し、前記開口から前記屋根穴部まで引き渡される前記接続線を覆うカバー部材と、
前記カバー部材または前記屋根部材に対面する対面壁を有する第１の水返し部材と、
前記対面壁と前記カバー部材との間、または、前記対面壁と前記屋根部材との間に位置する第１の線挿通部に配置される第１の乾式シール部材と、
前記カバー部材の下方の配線通路において、前記第１の水返し部材よりも前記屋根穴部寄りの位置に設けられており、かつ、前記屋根部材または前記カバー部材に対面する対面壁を有し、上下方向において前記第１の水返し部材とは逆の位置に配置されている第２の水返し部材と、
前記第２の水返し部材の対面壁と前記屋根部材との間、または、前記第２の水返し部材の対面壁と前記カバー部材との間に位置する第２の線挿通部に配置される第２の乾式シール部材とを備える、配線引き込み構造。
【請求項１３】
建物の屋根部材に配された接続線を建物内に引き込むための配線引き込み具であって、
前記屋根部材上に配置され、前記屋根部材に設けられた屋根穴部の位置に開口部を有する板状部材と、
軒側に開口を有し、前記開口から前記屋根穴部まで引き渡される前記接続線を覆うカバー部材と、
略Ｕ字状断面を有しており、前記屋根部材または前記カバー部材に取り付けられるベース部と、前記ベース部の端部より立ち上がる立壁部と、前記立壁部の端部より前記ベース部側へ折り返され、かつ、前記カバー部材または前記板状部材に対面する対面壁とを有する水返し部材と、
前記対面壁と前記カバー部材との間、または、前記対面壁と前記板状部材との間に位置する線挿通部に配置される乾式シール部材とを備える、配線引き込み具。
【発明の詳細な説明】
【技術分野】
【０００１】
本発明は、配線引き込み構造および配線引き込み具に関し、特に、建物の屋根部材に配された接続線を建物内に引き込むための配線引き込み構造および配線引き込み具に関する。
【背景技術】
【０００２】
建物の屋根上に、たとえば太陽光発電装置などの設備機器が設置されることがある。このような場合、屋根部材に配された接続線（たとえば電力線）は、通常、屋根部材に設けられた屋根穴部から建物内に引き込まれる。
【０００３】
特許第３８０５１６６号公報（特許文献１）には、屋根下地材に形成した配線引込口への雨水等の流れ込みを防止する水返し部材が、屋根下地材に取り付けられるとともに、配線引込口および水返し部材が、カバー部材によって覆われた配線引き込み構造が開示されている。カバー部材は、配線挿通口（入口部）が、水返し部材を挟んで配線引込口（屋根穴部）と反対側に位置するように、屋根下地材に取り付けられている。この配線引き込み構造においては、設備機器からの配線が、配線挿通口から水返し部材とカバー部材との間の隙間を通って配線引込口へ引き込まれ、カバー部材の配線挿通口に取り付けた乾式シール材によって、配線挿通口が塞がれている。
【先行技術文献】
【特許文献】
【０００４】
【特許文献１】特許第３８０５１６６号公報
【発明の概要】
【発明が解決しようとする課題】
【０００５】
上述のような従来の配線引き込み構造では、カバー部材の配線入口部には、乾式シール材のみが設けられ、その奥（屋根穴部側）には、下地材上に配置された水返し部材のみが設けられている。このような構造の場合、風圧等によっては、配線入口および水返し部材の配置位置のいずれにおいても、雨水が屋根穴部側へ浸入する恐れがある。
【０００６】
本発明は、上記のような課題を解決するためになされたものであって、その目的は、屋根穴部の雨仕舞に優れた配線引き込み構造および配線引き込み具を提供することである。
【課題を解決するための手段】
【０００７】
この発明のある局面に従う配線引き込み構造は、建物の屋根部材に配された接続線を建物内に引き込むための配線引き込み構造であって、屋根部材に設けられた屋根穴部と、カバー部材と、第１の水返し部材と、第１の乾式シール部材とを備える。カバー部材は、軒側に開口を有し、開口から屋根穴部まで引き渡される接続線を覆う。第１の水返し部材は、カバー部材または屋根部材に対面する対面壁を有する。第１の乾式シール部材は、対面壁とカバー部材との間、または、対面壁と屋根部材との間に位置する第１の線挿通部に配置される。
【０００８】
好ましくは、第１の水返し部材は、屋根部材上に配置され、第１の乾式シール部材は、第１の水返し部材の対面壁とカバー部材との間に配置される。
【０００９】
または、第１の水返し部材は、カバー部材の裏面に固定され、第１の乾式シール部材は、第１の水返し部材の対面壁と屋根部材との間に配置されてもよい。
【００１０】
好ましくは、第１の乾式シール部材は、第１の水返し部材の対面壁に取り付けられ、接続線は、第１の乾式シール部材とカバー部材または屋根部材とによって上下方向に挟み込まれる。
【００１１】
または、第１の乾式シール部材は、カバー部材または屋根部材に取り付けられ、接続線は、第１の水返し部材の対面壁と第１の乾式シール部材とによって上下方向に挟み込まれてもよい。
【００１２】
または、第１の乾式シール部材は、カバー部材または屋根部材、および、第１の水返し部材の対面壁に、それぞれ取り付けられた一対のシール材を含んでもよい。この場合、接続線は、一対のシール材によって上下方向に挟み込まれる。
【００１３】
好ましくは、第１の水返し部材の対面壁は、上下方向に弾性を有している。
【００１４】
第１の水返し部材は、略Ｕ字状断面を有しており、屋根部材またはカバー部材に取り付けられるベース部と、ベース部の端部より立ち上がる立壁部と、立壁部の端部よりベース部側へ折り返される折り返し部とを含んでもよい。この場合、折り返し部が、対面壁を構成している。
【００１５】
好ましくは、屋根部材は、屋根穴部の位置に開口部を有する板状部材を含み、第１の水返し部材は、板状部材に固定されている。
【００１６】
好ましくは、カバー部材の下方の配線通路には、第１の水返し部材よりも屋根穴部寄りの位置に設けられた第２の水返し部材をさらに備える。
【００１７】
第２の水返し部材は、上下方向において、第１の水返し部材とは逆の位置に配置されていることが望ましい。
【００１８】
また、第２の水返し部材は、屋根部材またはカバー部材に対面する対面壁を有していることが望ましい。この場合、対面壁と屋根部材との間、または、対面壁とカバー部材との間に位置する第２の線挿通部には、第２の乾式シール部材が配置されることが望ましい。
【００１９】
この発明の他の局面に従う配線引き込み具は、建物の屋根部材に配された接続線を建物内に引き込むための配線引き込み具であって、板状部材と、カバー部材と、乾式シール部材とを備える。板状部材は、屋根部材上に配置され、屋根部材に設けられた屋根穴部の位置に開口部を有する。カバー部材は、軒側に開口を有し、開口から屋根穴部まで引き渡される接続線を覆う。水返し部材は、カバー部材または板状部材に対面する対面壁を有する。乾式シール部材は、対面壁とカバー部材との間、または、対面壁と板状部材との間に位置する線挿通部に配置される。
【発明の効果】
【００２０】
本発明によれば、屋根穴部の雨仕舞に優れた配線引き込み構造および配線引き込み具を提供することができる。
【図面の簡単な説明】
【００２１】
【図１】本発明の実施の形態に係る配線引き込み構造を模式的に示す模式断面図である。
【図２】本発明の実施の形態における配線引き込み具を示す断面図である。
【図３】本発明の実施の形態における配線引き込み具を示す分解斜視図である。
【図４】本発明の実施の形態における配線引き込み具のカバー部材を裏面側から見た斜視図である。
【図５】本発明の実施の形態において、カバー部材が取り付けられる前の状態の配線引き込み構造を示す図である。
【図６】本発明の実施の形態において、カバー部材が取り付けられた後の状態の配線引き込み構造を示す図である。
【図７】本発明の実施の形態の変形例１における配線引き込み具を示す断面図である。
【図８】本発明の実施の形態の変形例２における配線引き込み具を示す断面図である。
【図９】本発明の実施の形態の変形例３における配線引き込み具を示す断面図である。
【図１０】本発明の実施の形態の変形例４における配線引き込み具を示す断面図である。
【図１１】本発明の実施の形態の変形例５における配線引き込み具を示す断面図である。
【図１２】本発明の実施の形態に係る配線引き込み構造の他の例を模式的に示す模式断面図である。
【発明を実施するための形態】
【００２２】
本発明の実施の形態について図面を参照しながら詳細に説明する。なお、図中同一または相当部分には同一符号を付してその説明は繰返さない。
【００２３】
図１は、本発明の実施の形態に係る配線引き込み構造を模式的に示す模式断面図である。図１を参照して、本実施の形態では、建物の屋根部２に配された電力線１０を屋内に引き込むための配線引き込み構造について説明する。屋根部２は、勾配を有しており、たとえば切妻屋根や片流れ屋根が想定される。本実施の形態において、屋根面において勾配方向と直交する方向を「桁方向」という。また、図１中矢印Ａ１で示される、屋根部２の勾配方向下側（すなわち、水下側）を「軒側」という。矢印Ａ１の反対側の方向である、勾配方向上側（すなわち、水上側）を「棟側」という。
【００２４】
屋根部２は、２つの屋根部材すなわち、屋根下地材２１および屋根仕上げ材２２を含む。屋根下地材２１は、少なくとも、野地板を含み、野地板上に配置される防水シート（図示せず）をさらに含んでいてもよい。屋根下地材２１の上面に、屋根仕上げ材２２が配置される。
【００２５】
屋根仕上げ材２２は、複数の瓦２２１，２２２，２２３，…を含み、これらは勾配方向および桁方向に並べられている。本実施の形態では、各瓦は、桁方向に凹凸を有している。複数の瓦２２１，２２２，２２３，…は、勾配方向において一部重なるように並べられている。たとえば、瓦２２２の棟側上面には、隣接する瓦２２３の軒側脚部２５が載せられている。そのため、屋根下地材２１の上面と複数の瓦２２１，２２２，２２３，…の下面との間には、部分的に隙間ができる。本実施の形態では、この隙間を「瓦下空間１２」という。たとえば瓦２２２下の瓦下空間１２は、勾配方向において、当該瓦２２２における棟側脚部２６の軒側端縁２６ｂと、隣接する軒側の瓦２２１における棟側脚部２６の棟側端縁２６ａとで区切られている。この勾配方向長さは、一般的に、２０〜４０ｃｍ程度である。
【００２６】
本実施の形態では、電力線１０を建物内部１１に引き込むための屋根穴部２０が、屋根下地材２１にのみ設けられている。そして、屋根穴部２０の上方空間を覆うように、配線引き込み具（以下「引き込み具」と略す）３が配置される。具体的には、引き込み具３は、上記瓦下空間１２に配置される。たとえば陶器瓦のように屋根仕上げ材２２に穴を開けることが困難な場合や、屋根部２（屋根仕上げ材２２）上部の美観を考慮する場合などに、瓦下空間１２に収まるように、引き込み具３が構成される。なお、後述するように、たとえば屋根仕上げ材２２がスレート瓦である場合などにおいては、引き込み具３は、屋根仕上げ材２２上に配置されてもよい。引き込み具３の高さは、取り付け状態において、たとえば３ｃｍ以下に抑えられることが望ましい。本実施の形態では、屋根穴部２０の位置は、たとえば、瓦下空間１２の勾配方向長さの略中央位置である。
【００２７】
（引き込み具について）
ここでまず、引き込み具３の構成および配置例について説明する。
【００２８】
図２は、本発明の実施の形態における引き込み具３を示す断面図である。図３は、本発明の実施の形態における引き込み具３を示す分解斜視図である。図１〜図３を参照して、本実施の形態において、引き込み具３は、屋根下地材２１上に配置される板状部材４と、板状部材４上に配置されるカバー部材６とを含む。
【００２９】
板状部材４は、平面視において矩形形状であり、屋根穴部２０の位置に配置される開口部４０を有する。開口部４０は、屋根穴部２０と略同一の形状であってよい。なお、板状部材４は、引き込み具３の設置を簡易にするために屋根下地材２１に沿って配置されるものであり、本実施の形態では、この板状部材４も、屋根部２の屋根部材に含まれると考えることができる。
【００３０】
カバー部材６は、軒側に開口６０を有しており、開口６０から屋根穴部２０まで引き渡される電力線１０を覆っている。本実施の形態において、カバー部材６のうち、電力線１０を覆う部分を「覆い部６１」、軒方向を除き、覆い部６１の周囲に延びる平坦部分を「平坦部６２」という。また、カバー部材６の覆い部６１の下方空間において、開口６０を入口とし、屋根穴部２０に至るまでの電力線１０の通路を「配線通路３０」という。
【００３１】
覆い部６１は、逆Ｕ字状断面を有しており、上壁６１１と、対向する２つの側壁６１２，６１３とを含む。側壁６１２，６１３は、たとえば、互いに平行に設けられている。覆い部６１は、上壁６１１の棟側端縁から棟方向斜め下方に延びる傾斜壁６１４をさらに含む。
【００３２】
板状部材４とカバー部材６とは、それぞれの軒側端縁が一致するように設けられている。棟側方向においては、板状部材４の方がカバー部材６よりも延びている。なお、軒側方向においても、板状部材４の方がカバー部材６よりも延びていてもよい。
【００３３】
ここで、本実施の形態では、板状部材４とカバー部材６との間に形成された配線通路３０内に、２つの水返し部材５１，５２が配置されている。水返し部材５１，５２については、図４をさらに参照して説明する。図４は、本発明の実施の形態における引き込み具３のカバー部材６を裏面側から見た斜視図である。
【００３４】
図２および図３に示されるように、１つ目の水返し部材５１は、配線通路３０の入口部（開口６０付近）に配置されている。入口部における水返し部材５１は、板状部材４上の軒側端部に固定されることが望ましい。水返し部材５１は、配線通路３０の入口部の横幅全体（下部のみ）を塞ぐように配置されている。つまり、カバー部材６の覆い部６１の一方の側壁６１２から他方の側壁６１３にまで延びるように配置されている。
【００３５】
水返し部材５１は、略Ｕ字状断面を有しており、ベース部５１１と立壁部５１２と折り返し部５１３とを含む。ベース部５１１は、板状部材４に固定されている。立壁部５１２は、ベース部５１１の軒側端部より立ち上がっている。立壁部５１２は、たとえば、板状部材４の軒側端縁４ｃに沿うように配置される。折り返し部５１３は、立壁部５１２の上端部より棟側へ延びている（折り返されている）。この折り返し部５１３は、カバー部材６に対面する対面壁を構成している。なお、本実施の形態では、勾配方向において、折り返し部５１３よりもベース部５１１の方が長い例を示しているが、同じ長さであってもよい。
【００３６】
水返し部材５１の折り返し部５１３は、上下方向に弾性を有していることが望ましい。上下方向は、屋根下地材２１に対して垂直な方向である。折り返し部５１３は、また、無負荷状態において、立壁部５１２の上端部より斜め上方に延びていることが望ましい。
【００３７】
図２および図４に示されるように、２つ目の水返し部材５２は、１つ目の水返し部材５１よりも屋根穴部２０寄りの位置、すなわち配線通路３０の途中位置に、配置されている。水返し部材５２は、入口部の水返し部材５１とは上下逆の位置に設けられていることが望ましい。つまり、水返し部材５２は、配線通路３０の途中位置において、カバー部材６の裏面６１ａに固定されていることが望ましい。水返し部材５２は、配線通路３０の途中位置の横幅全体（上部のみ）を塞ぐように配置されている。また、水返し部材５２は、勾配方向において、水返し部材５１の向きと反転するように配置されている。
【００３８】
水返し部材５２は、たとえば、板状部材４に固定された水返し部材５１の形状と同様である。つまり、水返し部材５２は、たとえば略Ｕ字状断面を有しており、ベース部５２１と立壁部５２２と折り返し部５２３とを含む。ベース部５２１は、カバー部材６の覆い部裏面６１ａに固定されている。立壁部５２２は、ベース部５２１の棟側端部より下方側へ立ち上がっている。折り返し部５２３は、立壁部５２２の下端部より軒側へ延びている（折り返されている）。この折り返し部５２３は、板状部材４（屋根部材）に対面する対面壁を構成している。折り返し部５２３も、上下方向に弾性を有していることが望ましい。折り返し部５２３は、また、無負荷状態において、立壁部５２２の下端部より斜め下方に延びていることが望ましい。
【００３９】
本実施の形態では、水返し部材５１の折り返し部５１３とカバー部材６との間が、配線通路３０の入口部において電力線１０が挿通される部分（以下「第１の線挿通部」という）となる。また、水返し部材５２の折り返し部５２３と板状部材４との間が、配線通路３０の途中位置において電力線１０が挿通される部分（以下「第２の線挿通部」という）となる。
【００４０】
図２〜図４に示されるように、第１の線挿通部には、乾式シール部材７０として、一対のシール材７１，７２が設けられている。具体的には、シール材７１は、水返し部材５１の折り返し部５１３上に取り付けられている。シール材７１は、折り返し部５１３の幅方向（桁方向）一端から他端まで延びるように配置されている。シール材７１は、少なくとも折り返し部５１３の先端部、すなわち自由端側に設けられていればよい。また、シール材７２は、カバー部材６の裏面６１ａであって、シール材７１と対向する位置に取り付けられている。シール材７２は、カバー部材６の覆い部６１を構成する一方の側壁６１２から他方の側壁６１３まで延びるように設けられている。
【００４１】
また、第２の線挿通部にも、乾式シール部材８０として、一対のシール材８１，８２が設けられている。具体的には、シール材８２は、水返し部材５２の折り返し部５２３上（下面）に、取り付けられている。シール材８２は、折り返し部５２３の幅方向（桁方向）一端から他端まで延びるように配置されている。シール材８２は、少なくとも折り返し部５２３の先端部、すなわち自由端側に設けられていればよい。また、シール材８１は、板状部材４の上面４ａであって、シール材８２と対向する位置に取り付けられている。つまり、シール材８１は、板状部材４上において、水返し部材５１と開口部４０との間に、水返し部材５１と平行に固定されている。シール材８１は、カバー部材６が配置された状態で、覆い部６１を構成する一方の側壁６１２から他方の側壁６１３まで延びるように設けられている。
【００４２】
上記引き込み具３の各部材すなわち、板状部材４、カバー部材６、および水返し部材５１，５２は、たとえば鋼板により形成されている。なお、塩害地域を考慮した場合、これらはステンレス製であってもよい。各シール材７１，７２，８１，８２は、圧縮可能な弾性体であって、その材質は、たとえば独立気泡型または連続気泡型の発泡体ゴムであることが望ましい。なお、これらのシール材は、その断面が矩形形状であることとしたが、対向するシール材同士が、互いに当接する当接面を有していれば他の形状であってもよい。
【００４３】
（配線引き込み構造について）
次に、上述の引き込み具３を備えた配線引き込み構造について詳細に説明する。配線引き込み構造については、図５および図６をさらに参照して、引き込み具３の施工手順に従い説明する。
【００４４】
図５は、本発明の実施の形態において、カバー部材６が取り付けられる前の状態の配線引き込み構造を示す図である。図６は、本発明の実施の形態において、カバー部材６が取り付けられた後の状態の配線引き込み構造を示す図である。
【００４５】
図１〜図５を参照して、はじめに、板状部材４が、屋根下地材２１の上面２１ａにおける所定位置に、ビス等により固定される。この板状部材４には、上部にシール材７１が固定された水返し部材５１と、シール材８１とが予め取付けられている。板状部材４は、軒側に隣接する瓦２２１の棟側端縁２６ａに沿い、かつ、開口部４０が、屋根穴部２０上に位置するように配置される。
【００４６】
電力線１０は、軒側の瓦２２１の凹部２３（隣り合う凸部２４間）から、瓦２２２の瓦下空間１２（屋根下地材２１上）に配される。その電力線１０は、水返し部材５１に固定されたシール材７１、および、板状部材４に直接固定されたシール材８１上に引き渡され、開口部４０および屋根穴部２０を通って、建物内部１１に引き込まれる。
【００４７】
電力線１０が建物内部１１に引き込まれると、図６に示されるように、板状部材４上にカバー部材６が被せられる。板状部材４上にカバー部材６が被せられただけでは、カバー部材６は浮いた状態であってよい。カバー部材６の重みだけでは、水返し部材５１，５２の折り返し部５１３，５２３、および、シール材７１，７２，８１，８２は、ほとんど伸縮変形しないためである。
【００４８】
これに対し、カバー部材６が板状部材４上に押さえ付けられ、平坦部６２の裏面６２ａが板状部材４の上面４ａと面接触する状態でビス等により固定されたとする。そうすると、配線通路３０の入口部において、水返し部材５１の折り返し部５１３の反発力と、対向するシール材７１，７２とによって、電力線１０は、上下方向に完全に挟み込まれる。同様に、配線通路３０の途中位置においても、水返し部材５２の折り返し部５２３の反発力と、対向するシール材８１，８２とによって、電力線１０は、上下方向に完全に挟み込まれる。
【００４９】
また、配線通路３０の入口部および途中位置のいずれにおいても、電力線１０の両側において、下側のシール材７１，８１と上側のシール材７２，８２とが相互に押さえ付けられる。したがって、第１の線挿通部および第２の線挿通部における電力線１０の周囲は、シール材７１，７２およびシール材８１，８２によって、それぞれ隙間なく取り囲まれる。
【００５０】
なお、棟側からの雨水対策として、屋根下地材２１の上面２１ａと板状部材４の裏面４ｂとの間、あるいは、板状部材４の上面４ａとカバー部材６の平坦部６２の裏面との間には、防水部材が設けられていることが望ましい。防水部材は、たとえば、板状部材４の裏面４ｂ、および、カバー部材６の平坦部６２の裏面に貼り付けられる防水テープであってよい。
【００５１】
上述のような引き込み具３の取り付けが完了すると、図１に示されるように、引き込み具３の上方空間に、瓦２２２が載置される。その際、瓦２２１上に配された電力線１０の上方に位置する瓦２２２の軒側脚部２５の下端は、電力線１０の厚み分だけ切断されることが望ましい。
【００５２】
上述のように、本実施の形態によれば、軒側から瓦下空間１２（図１）に吹き付ける雨水は、配線通路３０の入口部に配置された水返し部材５１およびその上部のシール材７１，７２（シール部材７０）と、配線通路３０の途中位置に配置された水返し部材５２およびその下部のシール材８１，８２（シール部材８０）とによって、３段階（あるいは４段階）で止水可能である。このことについて、図２を参照しながら具体的に説明する。
【００５３】
軒側から吹き上がる雨水Ｗ１は、配線通路３０の入口部に配置された水返し部材５１の立壁部５１２によって、配線通路３０内への浸入が阻止される（一次止水）。また、電力線１０を伝う雨水、あるいは、軒側から勢いよく吹き込む風雨Ｗ２は、第１の線挿通部を密閉するシール材７１，７２によって、配線通路３０内への浸入が阻止される（二次止水）。
【００５４】
一般的な配線引き込み具では、配線通路の入口部は、湿式または乾式のシール材のみによって塞がれるところ、本実施の形態では、水返し部材５１とシール部材７０（シール材７１，７２）とによって塞がれている。また、第１の線挿通部が入口部上側に形成されている。したがって、軒側から吹き上がってくる雨水が配線通路３０内へ入り込んでくる可能性は非常に低い。したがって、通常は、この一次止水および二次止水の段階で、屋根穴部２０の止水性は保たれる。
【００５５】
一方で、風圧等によっては、第１の線挿通部に配置された電力線１０とシール材７１，７２との間（すなわち二次止水）を突破し、雨水Ｗ２が、配線通路３０内へ浸入してしまう恐れがある。しかし、本実施の形態では、配線通路３０の途中位置においても、水返し部材５２およびシール材８１，８２が設けられている。したがって、二次止水を突破して配線通路３０内に入り込んできた雨水Ｗ３，Ｗ４に対しては、この水返し部材５２およびシール材８１，８２によって、屋根穴部２０への浸水を阻止することができる（三次止水）。
【００５６】
より具体的には、配線通路３０内に勢いよく入り込んできた雨水Ｗ３は、カバー部材６に固定された水返し部材５２の立壁部５２２にぶつかって返される。本実施の形態では、立壁部５２２が棟側（屋根穴部２０側）に位置しているため、雨水Ｗ３の勢いを低減させて雨水Ｗ３を受け止めることができる。
【００５７】
また、配線通路３０内に電力線１０を伝って浸入してきた雨水Ｗ４は、第２の線挿通部を密閉するシール材８１，８２によって、配線通路３０内への浸入が阻止される。この段階の雨水Ｗ４は、第１の線挿通部のシール材７１，７２に吹き付ける雨水Ｗ２よりも勢いは十分に抑えられている。したがって、第２の線挿通部のシール材８１，８２によって、屋根穴部２０の手前で完全に止水することができる。
【００５８】
上述のように、本実施の形態の引き込み具３によれば、軒側から吹き付ける雨水が屋根穴部２０の到達することを阻止することができる。したがって、開口部４０および屋根穴部２０における電力線１０の周囲に、たとえば湿式のシール材等を設ける必要がなくなるため、施工を容易にすることができる。また、シール材７１，７２，８１，８２は乾式のシール材であるので、長期に渡り止水性を維持することができる。
【００５９】
以上説明したように、本実施の形態によれば、引き込み具３によって、軒側からの雨水および棟側からの雨水の両方が、屋根穴部２０へ流れ込むのを防止することができる。その結果、建物内部１１への漏水のリスクを低減することができる。
【００６０】
また、引き込み具３は高さが抑えられているため、瓦下空間１２のような限られた空間内に配置することができる。したがって、電力線１０を軒先から引き込む施工方法に比べて、本実施の形態では電力線１０および引き込み具３が外部に露出されないため、建物の屋根部２および軒先付近における意匠性を向上させることができる。また、現場では、板状部材４およびカバー部材６の２つの部材を固定するだけでよいため、施工性にも優れている。また、引き込み具３は、部品点数が少なく簡易な構成であるため、製造コストを抑えることもできる。
【００６１】
なお、本実施の形態では、引き込み具３が板状部材４を含むこととしたが、板状部材４は含まなくてもよい。その場合、水返し部材５１およびシール材８１は、屋根下地材２１上に、直接取り付けられればよい。
【００６２】
また、本実施の形態では、電力線１０は、配線通路３０の入口における第１の挿通部および途中位置における第２の挿通部のいずれにおいても、２つのシール材７１，７２（８１，８２）によって上下に挟み込まれる構成とした。つまり、第１の線挿通部に配置されるシール部材７０が、一対のシール材７１，７２によって構成され、第２の線挿通部に配置されるシール部材８０が、一対のシール材８１，８２によって構成されることとした。しかしながら、シール部材７０，８０のうち少なくとも一方は、１つの部材によって構成されてもよい。
【００６３】
この場合、一体形成されたシール部材７０は、たとえば、カバー部材６の裏面６１ａに固定されていてもよい。つまり、電力線１０は、水返し部材５１の折り返し部５１３とシール部材７０とによって上下方向に挟み込まれていてもよい。この場合、シール部材７０は、勾配方向において、水返し部材５１の折り返し部５１３と少なくとも一部重なっていればよい。または、シール部材７０は、水返し部材５１の折り返し部５１３上に固定されていてもよい。つまり、電力線１０は、カバー部材６の裏面６１ａとシール部材７０とによって上下方向に挟み込まれていてもよい。
【００６４】
同様に、一体形成されたシール部材８０は、たとえば、板状部材４に固定されていてもよい。つまり、電力線１０は、水返し部材５２の折り返し部５２３とシール部材８０とによって上下方向に挟み込まれていてもよい。この場合、シール部材８０は、勾配方向において、水返し部材５２の折り返し部５２３と少なくとも一部重なっていればよい。または、シール部材８０は、水返し部材５２の折り返し部５２３上（下面）に固定されていてもよい。つまり、電力線１０は、板状部材４の上面４ａとシール部材８０とによって上下方向に挟み込まれていてもよい。
【００６５】
なお、配線通路３０の途中位置のシール部材８０が、電力線１０を伝う雨水の阻止さえできればよい場合には、取り付け状態において少なくとも電力線１０の周囲を囲むように配置されていればよい。つまり、シール部材８０の長手方向長さ（桁方向長さ）は、第２の挿通部の横幅（すなわち、水返し部材５２の幅）よりも短くてもよい。
【００６６】
また、上述のように、本実施の形態に係る配線引き込み構造によれば、二次止水の段階で、配線通路３０内への浸水の可能性は低い。したがって、引き込み具３は、配線通路３０の途中位置の水返し部材５２と、その下側に配置されるシール部材８０との両方、または、いずれか一方を含んでいなくてもよい。また、その場合、水返し部材５１と、その上側に配置されるシール部材７０とは、開口６０よりも屋根穴部２０寄りの位置に設けられてもよい。
【００６７】
また、引き込み具３が２つの水返し部材５１，５２を含む場合、それらの向き、形状および取付け位置は、上記例に限定されない。引き込み具３の他の構成例を、本実施の形態の変形例１〜５として以下に説明する。
【００６８】
（変形例１）
図７は、本発明の実施の形態の変形例１における引き込み具３Ａを示す断面図である。図７を参照して、本変形例では、配線通路３０の途中位置に配置された水返し部材５２Ａの向きが、上記実施の形態とは異なっている。水返し部材５２Ａは、立壁部５２２が軒側に向くように配置されている。
【００６９】
なお、図７では、第１および第２の線挿通部にそれぞれ配置されたシール部材７０，８０は、単一層で示しているが、各シール部材は、上記実施の形態のように一対のシール材で構成されていてもよい。下記の変形例２〜４の説明に用いられる図８〜１０においても同様である。
【００７０】
（変形例２）
図８は、本発明の実施の形態の変形例２における引き込み具３Ｂを示す断面図である。
図８を参照して、本変形例では、配線通路３０の入口部（開口６０付近）に配置された水返し部材５１Ａの向きが、上記実施の形態とは異なっている。水返し部材５１Ａは、立壁部５２２が棟側に向くように配置されている。この場合、水返し部材５１Ａは、たとえば、折り返し部５１３の軒側端縁（自由端）が、カバー部材６の軒側端縁と一致するように配置されている。その場合、板状部材４の方が、カバー部材６よりも軒側へ延びるように配置され、水返し部材５２は、板状部材４の縁にベース部５１１の縁が位置するように配置されていてもよい。
【００７１】
（変形例３）
図９は、本発明の実施の形態の変形例３における引き込み具３Ｃを示す断面図である。図９を参照して、本変形例では、配線通路３０の入口部および途中位置にそれぞれ配置された水返し部材５１Ａ，５２Ａの両方の向きが、上記実施の形態とは異なっている。つまり、水返し部材５１Ａの向きは、上記変形例２と同じであり、水返し部材５２Ａの向きは、上記変形例１と同じである。
【００７２】
（変形例４）
図１０は、本発明の実施の形態の変形例４における引き込み具３Ｄを示す断面図である。図１０を参照して、水返し部材５１Ｂ，５２Ｂは、上記実施の形態で示したそれらと形状が異なる。たとえば、各水返し部材５１Ｂ，５２Ｂは、略Ｖ字状断面を有している。つまり、水返し部材５１Ｂ，５２Ｂは、実施の形態で示した立壁部５１２，５２２を含まない形状である。水返し部材５１Ｂの折り返し部５１３Ａは、板状部材４に固定されたベース部５１１の棟側端部より軒側へ折り返されている。水返し部材５２Ｂの折り返し部５２３Ａは、カバー部材６に固定されたベース部５２１の棟側端部より軒側へ折り返されている。本変形例においても、折り返し部５１３Ａ，５２３Ａは、上下方向に弾性を有している。
【００７３】
なお、本変形例では、水返し部材５１Ｂ，５２Ｂが水返しとして適切に機能するためには、水返し部材５１Ｂ，５２Ｂは、図示した向きに設置することが望ましい。
【００７４】
また、水返し部材が、カバー部材６または板状部材４と対面する対面壁（たとえば折り返し部）を含む構成であれば、水返し部材の形状は、Ｕ字状やＶ字状以外の形状であってもよい。
【００７５】
（変形例５）
図１１は、本発明の実施の形態の変形例５における引き込み具３Ｅを示す断面図である。図１１を参照して、配線通路３０の入口部に位置する水返し部材５１Ｃは、カバー部材６の裏面６１ａに固定されている。本変形例では、第１の線挿通部は、水返し部材５１Ｃの折り返し部５１３と板状部材４との間に形成され、ここに、シール部材７０が配置される。シール部材７０は、たとえば、板状部材４に直接固定されるシール材７１Ａと、水返し部材５１Ｃの折り返し部５１３上（下面）に固定されるシール材７２Ａとにより構成される。
【００７６】
本変形例においても、シール部材７０を勢いよく突破した雨水に対処するために、配線通路３０の途中位置における水返し部材５２Ｃは、上下方向において、水返し部材５１Ｃとは逆の位置に配置されていることが望ましい。つまり、水返し部材５２Ｃは、板状部材４に固定されていることが望ましい。この場合、第２の線挿通部は、水返し部材５２Ｃの折り返し部５２３とカバー部材６との間に形成され、ここに、シール部材８０が配置される。シール部材８０は、たとえば、水返し部材５２Ｃの折り返し部５２３上に固定されるシール材８１Ａと、カバー部材６に直接固定されるシール材８２Ａとにより構成される。
【００７７】
以上説明した実施の形態では、引き込み具は、屋根下地材２１と屋根仕上げ材２２との間の瓦下空間１２に設けられることとしたが、屋根仕上げ材２２上に設けられてもよい。この場合の配線引き込み構造例について図１２を参照して説明する。
【００７８】
図１２は、本発明の実施の形態に係る配線引き込み構造の他の例を模式的に示す模式断面図である。図１２を参照して、この例では、屋根仕上げ材２２は、たとえば複数のスレート瓦である。屋根穴部２０は、屋根下地材２１と、勾配方向に一部重なって配置される瓦２２１および瓦２２２とを貫通するように設けられている。屋根仕上げ材２２のすぐ上方には、たとえば太陽光発電装置の太陽電池モジュール（図示せず）が、屋根面（たとえば屋根下地材２１の上面２１ａ）と略平行に設置されている。図１２において、太陽電池モジュールの下面の位置が、一点鎖線Ｌ１で示されている。
【００７９】
上述のように、引き込み具３の高さは抑えられているため、引き込み具３は、図１２に示されるような、屋根仕上げ材２２と太陽電池モジュールの下面との間の小空間（隙間）に配置することもできる。引き込み具３は、たとえば、その軒側端縁が、屋根穴部２０の孔を有する最も上の瓦２２２の軒側端縁と略一致するように配置される。
【００８０】
このように、太陽電池モジュールの直下に屋根穴部２０が設けられる場合でも、雨仕舞に優れた引き込み具３を配置することで、軒側からの雨水および棟側からの雨水の両方が、屋根穴部２０へ流れ込むのを防止することができる。
【００８１】
なお、以上説明した実施の形態およびその変形例１〜５、ならびに、配線引き込み構造の他の例を、適宜組み合わせてもよい。
【００８２】
また、上記説明においては、屋根部２に設置された設備機器と建物内部１１等に設置された機器とを接続する接続線として、電力線１０を例に説明した。しかしながら、接続線は、線状の部材であれば電力線１０に限定されない。たとえば、接続線は、アンテナと通信機器とを接続する通信ケーブルなどであってもよい。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
２  屋根部、３，３Ａ，３Ｂ，３Ｃ，３Ｄ，３Ｅ  引き込み具、４  板状部材、６  カバー部材、１０  電力線、１１  建物内部、１２  瓦下空間、２０  屋根穴部、２１  屋根下地材、２２  屋根仕上げ材、３０  配線通路、４０  開口部、５１，５１Ａ，５１Ｂ，５１Ｃ，５２，５２Ａ，５２Ｂ，５２Ｃ  水返し部材、６０  開口、６１  覆い部、６２  平坦部、７０，８０  シール部材、７１，７１Ａ，７２，７２Ａ，８１，８１Ａ，８２，８２Ａ  シール材、２２１，２２２，２２３  瓦、５１１，５２１  ベース部、５１２，５２２，５１２，５２２  立壁部、５１３，５１３Ａ，５２３，５２３Ａ  折り返し部、６１１  上壁、６１２，６１３  側壁、６１４  傾斜壁。
【図１】
0005913231.tif 000002
【図２】
0005913231.tif 000003
【図３】
0005913231.tif 000004
【図４】
0005913231.tif 000005
【図５】
0005913231.tif 000006
【図６】
0005913231.tif 000007
【図７】
0005913231.tif 000008
【図８】
0005913231.tif 000009
【図９】
0005913231.tif 000010
【図１０】
0005913231.tif 000011
【図１１】
0005913231.tif 000012
【図１２】
0005913231.tif 000013